(57)【要約】【課題】  本発明は、平滑性に優れる例えばアクリル等の透明平板を、枠体に嵌め込むことにより、平滑度及び透明度を向上させるとともに、保護パネルの組み付けを外観を損なうことなく容易に行うことができる液晶保護パネルを提供することを目的とする。【解決手段】  本発明に係る代表的な液晶表示部の保護パネルは、液晶画面を保護する液晶表示部の保護パネルＰ１であって、合成樹脂製の透明な板であって、板の外周面の下端部に外周面の上端より張出した座部１ｄを形成する透明平板１と、透明平板１を嵌め込む中央開口部２ａを有し、中央開口部２ａの内周面には透明平板１の座部１ｄと嵌合する嵌合部２ｄを有する枠体２と、枠体２と透明平板１の座部１ｄの間に掛け渡すように、枠体２の裏面側から貼着した接着テープ３と、を有することを特徴とする。【選択図】    図３
2005138410.tif 000002
【特許請求の範囲】
【請求項１】
液晶画面を保護する液晶表示部の保護パネルであって、
合成樹脂製の透明な板であって、該板の外周面の下端部に外周面の上端より張出した座部を形成する透明平板と、
該透明平板を嵌め込む中央開口部を有し、該中央開口部の内周面には前記透明平板の座部と嵌合する嵌合部を有する枠体と、
該枠体と前記透明平板の座部の間に掛け渡すように、前記枠体の裏面側から貼着した接着テープと、
を有することを特徴とする液晶表示部の保護パネル。
【請求項２】
請求項１記載の液晶表示部の保護パネルであって、
前記透明平板の座部と前記枠体の嵌合部は、段差を有することを特徴とする液晶表示部の保護パネル。
【請求項３】
請求項１記載の液晶表示部の保護パネルであって、
前記接着テープは両面接着テープであることを特徴とする液晶表示部の保護パネル。
【請求項４】
請求項１記載の液晶表示部の保護パネルであって、
前記枠体は射出成形した平板を用い、中央部を切削して前記中央開口部を形成したことを特徴とする液晶表示部の保護パネル。 
【発明の詳細な説明】
【技術分野】
【０００１】
本発明は、液晶画面を保護する液晶表示部の保護パネルに関するものである。
【背景技術】
【０００２】
従来、液晶画面を保護する液晶表示部の保護パネルは、液晶表示部と枠体部と一緒に射出成形していた（例えば、特許文献１）。特許文献１に記載の液晶表示部の保護パネルは、透明なアクリルの板であって周囲に枠を印刷し、中央部に液晶画面を表示するための透明な表示窓を残している。
【０００３】
【特許文献１】特許公開２００１−３４１１６１号公報
【発明の開示】
【発明が解決しようとする課題】
【０００４】
しかし、年々、液晶ディスプレイの細密化が進んでいるが、保護パネルの透明窓を射出成形で形成した場合は、金型のゆがみや射出成形時の湯の周り方によって、透明窓の表面の平滑性が損なわれ、高品質化した液晶ディスプレイに充分対応できないという問題があった。
【０００５】
また、単に透明板と枠体を組み合わせただけでは、組み合わせ後の保護パネルを製品に組み込む際に、透明板と枠体が外れて生産性が悪いという問題があった。また、透明板と枠体が外れないようにシールを貼着した場合には、貼着したシールが透明窓からのぞき、外観を損なうという問題があった。
【０００６】
そこで、本発明は、平滑性に優れる例えばアクリル等の透明平板を、枠体に嵌め込むことにより、平滑度及び透明度を向上させるとともに、保護パネルの組み付けを外観を損なうことなく容易に行うことができる液晶保護パネルを提供することを目的とする。
【課題を解決するための手段】
【０００７】
上記課題を解決するために本発明に係る代表的な液晶表示部の保護パネルは、液晶画面を保護する液晶表示部の保護パネルであって、合成樹脂製の透明な板であって、該板の外周面の下端部に外周面の上端より張出した座部を形成する透明平板と、該透明平板を嵌め込む中央開口部を有し、該中央開口部の内周面には前記透明平板の座部と嵌合する嵌合部を有する枠体と、該枠体と前記透明平板の座部の間に掛け渡すように、前記枠体の裏面側から貼着した接着テープと、を有することを特徴とする。
【発明の効果】
【０００８】
本発明により、平滑度及び透明度を向上させるとともに、透明平板の外れを防止することができる。
【０００９】
また、枠体は射出成形した平板を用い、中央部を切削して中央開口部を形成することにより、ウェルドラインの発生を防止することができる。
【発明を実施するための最良の形態】
【００１０】
〔第１実施形態〕
本発明に係る液晶表示部の保護パネルの実施形態について、図を用いて説明する。図１は本実施形態の液晶表示部の保護パネルを用いた携帯電話の斜視図、図２は液晶表示部の保護パネルの構成図、図３（ａ）は保護パネルの断面図、図３（ｂ）は保護パネルの裏面図、図４は保護パネルの構成を説明するための断面構成図である。本発明に係る液晶表示部の保護パネルは、携帯電話、モバイルコンピューター等の液晶画面を保護するものである。図１に携帯電話に液晶表示部の保護パネルを用いた例を示す。
【００１１】
図１に示すように、携帯電話Ｘの液晶表示部には、液晶表示部を保護するために液晶表示部の保護パネルＰ１が設けられている。図２に示すように、パネルＰ１は、アクリル製等の透明平板１と、透明平板１を嵌め込む枠体２と、枠体２と透明平板１を貼着した接着テープ３から構成されている。
【００１２】
図２、図３に示すように、透明平板１は、アクリル製等の透明な板であって、中央部に液晶画面を表示するための透明な表示窓１ａを設け、透明平板１の外周面１ｂ、１ｃの下端部に外周面の上端より張出した座部１ｄを形成している。すなわち、透明平板１は、表示窓１ａによって形成される表面側の外径の小さな外周面１ｂと、座部１ｄによって形成される裏面側の外径の大きな外周面１ｃとを有する凸状に形成されている。座部１ｄは透明な平板の周縁に所定深さ（外周面１ｂの高さ）、所定幅（外周面１ｂと外周面１ｃの半径の差）の段差つけて形成されている。
【００１３】
透明平板１は、枠体２とは別の工程で成形した平滑度及び透明度の高い平板の周縁の表面をエンドミル等の切断冶具を用いて所定深さに削って、段差（座部１ｂ）を形成する。
【００１４】
枠体２は、表面側と裏面側にインモールドプリント２ｅを施し、中央に透明平板１を嵌め込む中央開口部２ａを形成し、透明平板１の座部１ｄと嵌合する嵌合部２ｄを形成している。中央開口部２ａは、表面側の内径の小さい内周面２ｂと、裏面側の内径の大きい内周面２ｃを有している。尚、インモールドプリント２ｅは表面側（片面）のみに形成してもよい。
【００１５】
図４に示すように、枠体２は、成形品10の凹所Ａをプレス９で打ち抜いたり、エンドミルで切削して形成される。成形品10は、枠体２として残る部分にの両面にインモールドプリント２ｅを施し、表面に内周面２ｂとなる凹所Ａと、裏面に内周面２ｃとなる凹所Ｂとを有する形状にインモールド成形されたものである。
【００１６】
ここで、透明平板１の外周面１ｂと中央開口部２ａの内周面２ｂはほぼ同じ径で形成され、透明平板１の外周面１ｃと中央開口部２ａの内周面２ｃはほぼ同じ径で形成されおり、透明平板１の座部１ｄと枠体２の嵌合部２ｄとを嵌合した際に、透明平板１を枠体２の中央開口部２ａに隙間なく嵌め込むことができる。
【００１７】
また、透明平板１の外周面１ｂの高さは、中央開口部２ａの内周面２ｂの高さより低く形成されている。これにより、透明平板１を枠体２に嵌めた際に、透明平板１が枠体２の表面から突出しないようにし、透明平板１の表示窓１ａに擦り傷が付くことを防止している。
【００１８】
また、透明平板１の外周面１ｃの高さは、中央開口部２ａの内周面２ｃの高さと同じ高さに形成されており、透明平板１を枠体２に嵌めた際に、透明平板１の裏面と枠体２の裏面が同じレベルになるように形成されている。
【００１９】
接着テープ３は、裏面が同じレベルになるように形成された枠体２と透明平板１の座部１ｄの間に掛け渡すように、透明平板１、枠体２の裏面側から貼着している。これにより、透明平板１が枠体２から外れないようにしている。また、接着テープ３として、両面に接着層を設けた両面接着テープを用いた場合には、透明平板１と枠体２の押さえに用いられた接着層と反対の接着層を携帯電話Ｘの筐体と保護パネルＰ１との接着に用いることができる。
【００２０】
上述のごとく、透明平板１を枠体２とは別の工程で成形したことにより、透明平板１の平滑度及び透明度を高め、保護パネルＰ１の平滑度及び透明度を高めることができる。
【００２１】
また、枠体２と透明平板１の座部１ｄの間を掛け渡すように裏面側から接着テープ３を貼着して、透明平板１と枠体２を接着した。これにより、保護パネルＰ１や携帯電話Ｘの製造時に透明平板１が枠体２から外れたり、ずれたりすることを防止している。このため、携帯電話Ｘへ保護パネルＰ１を容易に組み付けることができ、携帯電話Ｘの生産性を向上させることができる。また、特に、接着テープ３を枠体２と透明平板１の座部１ｄの間を掛け渡すので、枠体２の中央開口部２ａの上部（内周面２ｂ）がこれを使用者の視線から隠蔽し、外観を損なうことがない。
【００２２】
また、板状にインモールド成形した成形品10の中央をプレスカット又はエンドミルによりトリミングして環状の枠体２を形成することにより、直接、環状の枠体２をインモールド成形する場合に発生するウェルドラインを防止することができる。
【００２３】
[第二実施形態]
次に本発明に係る液晶表示部の保護パネルの第二実施形態について図を用いて説明する。図５は本実施形態にかかる保護パネルの構成を説明するための断面構成図である。上記第一実施形態と説明の重複する部分については、同一の符号を付して説明を省略する。
【００２４】
図５に示すように、本実施形態にかかる液晶表示部の保護パネルＰ２は、上記第一実施形態の透明平板１を断面が台形状となる透明平板11と、これに合わせて枠体２の中央開口部２ａを断面が台形状となる中央開口部12ａとした枠体12と、接着テープ３から構成したものである。
【００２５】
透明平板11は、表面側の上底面が液晶画面を表示するための透明な表示窓11ａとして機能し、透明平板11の外周面11ｂが裏面側の下底面から表面側の上底面に向かってテーパーを形成しており、表示窓11ａから張出した座部11ｄを形成している。透明平板11は、枠体12とは別の工程で成形した平滑度及び透明度の高い平板の周縁の表面を、外周面11ｂがテーパーを形成するように、エンドミル等の切断冶具で削って形成する。
【００２６】
枠体12は、表面側にインモールドプリント12ｅを施し、中央に透明平板11を嵌め込む中央開口部12ａを形成している。中央開口部12ａの内周面12ｂは、透明平板11の外周面11ｂと同様のテーパーで形成され、透明平板11の座部11ｄと嵌合する嵌合部12ｄを形成している。
【００２７】
枠体12は、成形品20の凹所Ｃ、Ｄをエンドミルで切削して形成される。成形品20は、枠体12として残る部分にの両面にインモールドプリント12ｅを施し、表面と裏面に内周面12ｂとなる凹所Ａと凹所Ｂを有する形状にインモールド成形されたものである。
【００２８】
ここで、透明平板11の外周面11ｂと中央開口部12ａの内周面12ｂは、裏面側がほぼ同じ径であって、ほぼ同じ傾斜のテーパーで形成され、枠体12の方を厚く形成している。このため、透明平板11を枠体12の中央開口部12ａに押し込むことにより、透明平板11の座部11ｄと枠体12の嵌合部12ｄとが嵌合し、透明平板11を枠体12の中央開口部12ａに隙間なく嵌め込むことができる。また、透明平板11を枠体12に嵌めた際に、透明平板11が枠体12の表面から突出せず、透明平板11の表示窓11ａに擦り傷が付くことがない。さらに、透明平板１を枠体２に嵌めた際に、透明平板１の裏面と枠体２の裏面が同じレベルになる。
【００２９】
上述のごとく、透明平板11を枠体12とは別の工程で成形したことにより、透明平板11の平滑度及び透明度を高め、保護パネルＰ２の平滑度及び透明度を高めることができる。
【００３０】
また、枠体12と透明平板11の座部11ｄの間を掛け渡すように裏面側から接着テープ３を貼着して、透明平板11と枠体12を接着した。これにより、保護パネルＰ２や携帯電話Ｘの製造時に透明平板11が枠体12から外れたり、ずれたりすることを防止している。このため、携帯電話Ｘへ保護パネルＰ２を容易に組み付けることができ、携帯電話Ｘの生産性を向上させることができる。また、特に、接着テープ３を枠体12と透明平板11の座部11ｄの間を掛け渡すので、枠体12の中央開口部12ａの上部（内周面12ｂ）がこれを使用者の視線から隠蔽し、外観を損なうことがない。
【００３１】
また、板状にインモールド成形した成形品20の中央をエンドミルによりトリミングして環状の枠体12を形成することにより、直接、環状の枠体12をインモールド成形場合に発生するウェルドラインを防止することができる。
【産業上の利用可能性】
【００３２】
本発明の活用例として、液晶画面を保護する液晶表示部の保護パネルにも適用出来る。
【図面の簡単な説明】
【００３３】
【図１】第一実施形態の液晶表示部の保護パネルを用いた携帯電話の斜視図である。
【図２】保護パネルの断面構成図である。
【図３】（ａ）保護パネルの断面図である。（ｂ）保護パネルの裏面図である。
【図４】保護パネルの構成図である。
【図５】第二実施形態にかかる保護パネルの断面構成図である。
【符号の説明】
【００３４】
Ａ〜Ｄ    …凹所
Ｐ１、Ｐ２  …保護パネル
Ｘ    …携帯電話
１、11    …透明平板
１ａ、11ａ  …表示窓
１ｂ、１ｃ、11ｂ  …外周面
１ｄ、11ｄ  …座部
２、12    …枠体
２ａ、12ａ  …中央開口部
２ｂ、２ｃ、12ｂ  …内周面
２ｄ、12ｄ  …嵌合部
２ｅ、12ｅ  …インモールドプリント
３    …接着テープ
10、20    …成形品
【図１】
2005138410.tif 000003
【図２】
2005138410.tif 000004
【図３】
2005138410.tif 000005
【図４】
2005138410.tif 000006
【図５】
2005138410.tif 000007